(57)【特許請求の範囲】
【請求項１】
開口部上方にガイド部材を設け、一端部をシャッタカーテンの座板に挿通させた開閉ワイヤを前記ガイド部材に掛回し、該ガイド部材に掛回した前記開閉ワイヤを前記シャッタカーテンのガイドレールに沿って垂下させ、前記開閉ワイヤの一端部に取手を設け、前記開閉ワイヤの前記取手から所要距離の位置にワイヤ止めを設け、前記開閉ワイヤの他端に握り部を設け、該握り部を引下げることで、前記取手を介して前記シャッタカーテンが上昇され、前記取手を引下げることで、前記ワイヤ止めを介して前記シャッタカーテンが降下される様にしたことを特徴とするシャッタ装置。
【請求項２】
前記シャッタカーテンが施錠摘みの回転により施錠、施錠解除される施錠装置を具備し、前記施錠摘みが前記開閉ワイヤに連結され、該開閉ワイヤの開放方向の移動により前記施錠摘みが回転され、施錠解除される様にした請求項１のシャッタ装置。
【請求項３】
開口部上方にガイド部材を設け、一端部をシャッタカーテンの座板に挿通させた開閉ワイヤを前記ガイド部材に掛回し、該ガイド部材に掛回した前記開閉ワイヤを前記シャッタカーテンのガイドレールに沿って垂下させ、更に昇降ワイヤガイドを掛回して他端を前記ガイドレールの上方又はその近傍に係着し、前記開閉ワイヤの一端部に取手を設け、前記開閉ワイヤの前記取手から所要距離の位置にワイヤ止めを設け、前記昇降ワイヤガイドを引下げることで、前記取手を介して前記シャッタカーテンが上昇され、前記取手を引下げることで、前記ワイヤ止めを介して前記シャッタカーテンが降下される様にしたことを特徴とするシャッタ装置。
【発明の詳細な説明】
【技術分野】
【０００１】
本発明は、住宅等の建屋の出入口、窓、或はコンテナ等構造物の開口部等を開閉するシャッタ、特に手動開閉式のシャッタ装置に関するものである。
【背景技術】
【０００２】
住宅等の建屋の出入口、窓、或はコンテナ等の構造物の開口部等に設けられる開閉装置としてシャッタ装置があり、シャッタ装置の１つに、板材を曲げ成形したスラットが所要数屈曲自在に連結されて構成されるシャッタカーテンを具備するものがある。
【０００３】
図８は従来のシャッタ装置の全体の概略を示しており、図中、１はシャッタカーテン、２はガイドレール、３は巻取り部（図中ケースは省略している）を示し、所要数のスラット４が屈曲自在に連結され、最下段のスラット４には座板５が連結されて前記シャッタカーテン１が構成されている。
【０００４】
前記巻取り部３は、壁面に取付けられた左右のブラケット６，６、該ブラケット６，６に掛渡された巻取りシャフト、該巻取りシャフトに回転自在に設けられたドラム、前記巻取シャフトに設けられたバランススプリング（いずれも図示せず）等からなり、前記シャッタカーテン１の上端は前記ドラムに係着され、前記バランススプリングは前記シャッタカーテン１を巻取り方向に付勢し、重量バランスを取っている。
【０００５】
前記シャッタカーテン１は、前記ガイドレール２に沿って昇降し、上昇時（開放時）には前記巻取り部３に巻取られ、或は下降時（閉鎖時）には前記巻取り部３から繰出される。
【０００６】
前記シャッタカーテン１の所要位置には手掛けボックス７が設けられ、開閉時、特に開放時には該手掛けボックス７に指先を掛けて前記シャッタカーテン１を上方に引上げていた。
【０００７】
又、該シャッタカーテン１を閉鎖する場合は、閉鎖作業用に用意されたフック棒の上端（フック）を前記座板５に形成した長孔（図示せず）に引掛け、前記フック棒により前記シャッタカーテン１を手の届く位置迄引下ろし、更に手を該シャッタカーテン１の所要位置に掛けて該シャッタカーテン１を引下ろしていた。
【０００８】
尚、前記フック棒を用いて前記シャッタカーテン１を閉鎖することついては、特許文献１に示されている。
【０００９】
手動開閉式のシャッタ装置に於けるシャッタカーテンの開閉、特に閉鎖時はフック棒が使用され、更にフック棒の使用に際してフック棒の先端を前記座板５の孔に係合させる作業が伴う。この為、フック棒の管理が悪いとフック棒を探すのに手間が掛り、又フック棒の先端を前記座板５の長孔に係合させるのに手間が掛り、作業性は良くなかった。
【００１０】
【特許文献１】特開平１１−１１７６４１号公報
【発明の開示】
【発明が解決しようとする課題】
【００１１】
本発明は斯かる実情に鑑み、手動式のシャッタ装置での開閉が、フック棒を用いることなく作業できる様にし、シャッタ装置の開閉作業が簡単に行える様にするものである。
【課題を解決するための手段】
【００１２】
本発明は、開口部上方にガイド部材を設け、一端部をシャッタカーテンの座板に挿通させた開閉ワイヤを前記ガイド部材に掛回し、該ガイド部材に掛回した前記開閉ワイヤを前記シャッタカーテンのガイドレールに沿って垂下させ、前記開閉ワイヤの一端部に取手を設け、前記開閉ワイヤの前記取手から所要距離の位置にワイヤ止めを設け、前記開閉ワイヤの他端に握り部を設け、該握り部を引下げることで、前記取手を介して前記シャッタカーテンが上昇され、前記取手を引下げることで、前記ワイヤ止めを介して前記シャッタカーテンが降下される様にしたシャッタ装置に係り、又前記シャッタカーテンが施錠摘みの回転により施錠、施錠解除される施錠装置を具備し、前記施錠摘みが前記開閉ワイヤに連結され、該開閉ワイヤの開放方向の移動により前記施錠摘みが回転され、施錠解除される様にしたシャッタ装置に係り、又開口部上方にガイド部材を設け、一端部をシャッタカーテンの座板に挿通させた開閉ワイヤを前記ガイド部材に掛回し、該ガイド部材に掛回した前記開閉ワイヤを前記シャッタカーテンのガイドレールに沿って垂下させ、更に昇降ワイヤガイドを掛回して他端を前記ガイドレールの上方又はその近傍に係着し、前記開閉ワイヤの一端部に取手を設け、前記開閉ワイヤの前記取手から所要距離の位置にワイヤ止めを設け、前記昇降ワイヤガイドを引下げることで、前記取手を介して前記シャッタカーテンが上昇され、前記取手を引下げることで、前記ワイヤ止めを介して前記シャッタカーテンが降下される様にしたシャッタ装置に係るものである。
【発明の効果】
【００１３】
本発明によれば、開口部上方にガイド部材を設け、一端部をシャッタカーテンの座板に挿通させた開閉ワイヤを前記ガイド部材に掛回し、該ガイド部材に掛回した前記開閉ワイヤを前記シャッタカーテンのガイドレールに沿って垂下させ、前記開閉ワイヤの一端部に取手を設け、前記開閉ワイヤの前記取手から所要距離の位置にワイヤ止めを設け、前記開閉ワイヤの他端に握り部を設け、該握り部を引下げることで、前記取手を介して前記シャッタカーテンが上昇され、前記取手を引下げることで、前記ワイヤ止めを介して前記シャッタカーテンが降下される様にしたので、フック棒先端を前記座板の孔に係合させるという微妙な作業が必要なく、又フック棒自体必要なくなるので、シャッタカーテン開閉の作業性が向上する。
【００１４】
又本発明によれば、前記シャッタカーテンが施錠摘みの回転により施錠、施錠解除される施錠装置を具備し、前記施錠摘みが前記開閉ワイヤに連結され、該開閉ワイヤの開放方向の移動により前記施錠摘みが回転され、施錠解除される様にしたので、施錠解除と前記シャッタカーテンの開放が同時にでき、作業性が向上する。
【００１５】
又本発明によれば、開口部上方にガイド部材を設け、一端部をシャッタカーテンの座板に挿通させた開閉ワイヤを前記ガイド部材に掛回し、該ガイド部材に掛回した前記開閉ワイヤを前記シャッタカーテンのガイドレールに沿って垂下させ、更に昇降ワイヤガイドを掛回して他端を前記ガイドレールの上方又はその近傍に係着し、前記開閉ワイヤの一端部に取手を設け、前記開閉ワイヤの前記取手から所要距離の位置にワイヤ止めを設け、前記昇降ワイヤガイドを引下げることで、前記取手を介して前記シャッタカーテンが上昇され、前記取手を引下げることで、前記ワイヤ止めを介して前記シャッタカーテンが降下される様にしたので、フック棒先端を前記座板の孔に係合させるという微妙な作業が必要なく、又フック棒自体必要なくなり、更にシャッタカーテン開閉の動作量が少なくて済み、シャッタカーテン開閉の作業性が向上するという優れた効果を発揮する。
【発明を実施するための最良の形態】
【００１６】
以下、図面を参照しつつ本発明を実施する為の最良の形態を説明する。
【００１７】
図１〜図５を参照して第１の実施の形態について説明する。尚、図１中、図８中で示したものと同等のものには同符号を付してある。又、図１、図４、図５では巻取り部３のカバーを外した状態としている。
【００１８】
開口部の上端には左右に掛渡るまぐさ１０が設けられ、該まぐさ１０の両端には左右のブラケット６，６が取付けられる。該ブラケット６，６間には巻取りシャフト９が掛渡し設けられ、該巻取りシャフト９には巻取りホイール１１が回転自在に設けられ、該巻取りホイール１１にシャッタカーテン１の上端が係着され、前記巻取りホイール１１と前記巻取りシャフト９間にはバランススプリング１２が設けられ、該バランススプリング１２は前記巻取りホイール１１を介して前記シャッタカーテン１を巻取り方向に付勢し、重量バランスを取っている。
【００１９】
前記シャッタカーテン１の中段よりやや下方に、シャッタの施錠装置１３が設けられている。
【００２０】
該施錠装置１３の中央に施錠摘み１４が回転可能に設けられ、該施錠摘み１４はリンク（図示せず）を介して左右水平方向に延びるロックバー１５，１５に連結され、前記施錠摘み１４の回転により、前記ロックバー１５，１５が相反する方向にスライド変位する様になっている。
【００２１】
前記シャッタカーテン１が閉鎖状態で、前記施錠摘み１４を回転させることで、前記ロックバー１５，１５が水平方向に突出し、ガイドレール２に設けられた鍵穴或は係合片等のロックバー係合部と係合して前記シャッタカーテン１が施錠される様になっている。
【００２２】
座板５の上面には取手ケース１６が設けられ、該取手ケース１６には取手１７が収納される様になっている。前記取手ケース１６の上方、前記まぐさ１０には第１ワイヤガイド１８が設けられ、該ワイヤガイド１８と対向する様に前記ガイドレール２の上端に第２ワイヤガイド１９が設けられる。
【００２３】
前記第１ワイヤガイド１８、前記第２ワイヤガイド１９は耐摩耗性、円滑性を有する材質構造となっており、例えば材質としては、合成樹脂（例えばポリアセタール樹脂、ポリアミド樹脂等）が用いられ、或は内部に回転自在なローラ、滑車が設けられていても良い。
【００２４】
前記取手ケース１６に収納される前記取手１７には開閉ワイヤ２１の一端が係着され、該開閉ワイヤ２１は前記取手ケース１６の上面を貫通して上方に延び、前記第１ワイヤガイド１８、前記第２ワイヤガイド１９に掛回され、前記開閉ワイヤ２１の他端は下方に垂下する様になっている。
【００２５】
前記開閉ワイヤ２１の他端には握り部材２２が取付けられ、該握り部材２２は前記シャッタカーテン１の閉鎖状態で、シャッタ装置の開閉を行う者の手が無理なく届く高さとなっている。
【００２６】
前記取手ケース１６と前記取手１７の収納について、図３（Ａ），（Ｂ）により説明する。
【００２７】
前記取手ケース１６の下面は開放されており、該取手ケース１６の内面の対向する２面にはそれぞれ水平方向に合成樹脂製の舌片２３，２３が突設されている。該舌片２３は、薄肉で高弾性を有しており、対向する舌片２３，２３の先端間は前記取手１７の外径より小さくなっており、該取手１７を押込むことで前記舌片２３，２３を撓ませて前記取手ケース１６内に収納させることができる様になっており、又前記舌片２３の弾性力で前記取手１７の収納状態が維持される様になっている。
【００２８】
前記開閉ワイヤ２１は前記取手ケース１６の天井部を貫通しており、該貫通箇所にはラッチ釦２４が設けられ、前記開閉ワイヤ２１は前記ラッチ釦２４を貫通している。該ラッチ釦２４は下方に向って出入り自在なプランジャ２５を有し、前記開閉ワイヤ２１は前記プランジャ２５を挿通していると共に該プランジャ２５はスプリング（図示せず）により下方に付勢され、該スプリングに抗して所定位置迄押込むと押込み状態が保持され、次に更に押込むと保持状態が解除され、前記スプリングにより突出する様になっている。
【００２９】
又、前記開閉ワイヤ２１の前記取手１７から所要距離上方には、ワイヤ止め２６が固着され、該ワイヤ止め２６は前記取手ケース１６の上面に当接する様になっている。
【００３０】
前記取手１７と前記握り部材２２との重量バランスは、前記取手１７が前記握り部材２２より少し重く設定され、前記取手１７、前記握り部材２２に外力が作用しない状態では前記取手１７が下がる様になっており、図３（Ｂ）の様に、前記ワイヤ止め２６が前記取手ケース１６に突当って、前記開閉ワイヤ２１の移動が停止し、前記取手１７が前記取手ケース１６の下方に吊下がる状態となる。
【００３１】
以下作動について説明する。
【００３２】
図１に示す閉鎖状態では、前記第２ワイヤガイド１９から垂下した前記握り部材２２は、人の手が容易に届く位置にあり、前記シャッタカーテン１を開放する場合は、前記握り部材２２を引下げる。
【００３３】
前記開閉ワイヤ２１に上方の張力が作用し、前記取手１７が前記ラッチ釦２４を介して前記取手ケース１６に当接し、前記シャッタカーテン１に引上げ力が作用し、該シャッタカーテン１が開放される（図４参照）。尚、該シャッタカーテン１は前記バランススプリング１２により重量バランスされているので、引上げ力は小さくて良い。
【００３４】
図５は前記シャッタカーテン１の開放状態を示しており、前記握り部材２２は最下位置にある。
【００３５】
前記取手１７と前記握り部材２２の重量バランスにより、前記取手１７は前記座板５より吊下がった状態となる場合がある。この場合、前記開閉ワイヤ２１を更に下方に引下げると、前記取手１７が引上げられ、前記プランジャ２５を押込みながら、前記取手ケース１６内に収納される。前記プランジャ２５は押込み状態が維持され、又前記取手１７は前記舌片２３，２３により収納状態が保持される（図３（Ａ）参照）。
【００３６】
次に、前記シャッタカーテン１を閉鎖する場合は、前記開閉ワイヤ２１を一度引下げる。前記開閉ワイヤ２１を引下げることで、前記取手１７が前記プランジャ２５を保持状態から更に押込み、該プランジャ２５の保持が解除される。内蔵するスプリング（図示せず）により、前記プランジャ２５が突出され、前記取手１７が前記取手ケース１６より押出される。前記取手１７は前記握り部材２２より重いので、前記取手ケース１６より垂下した状態となる（図３（Ｂ）参照）。
【００３７】
前記取手１７を取り、該取手１７を引下げる。前記ワイヤ止め２６が前記取手ケース１６に当接し、該取手ケース１６を介して前記シャッタカーテン１に引下げ力が伝達され、該シャッタカーテン１が閉じられる。
【００３８】
尚、前記取手１７が吊下がった状態（図５参照）での、該取手１７の位置は作業者が容易に届く位置となっており、又該取手１７の吊下がった状態での位置は、該取手１７と前記ワイヤ止め２６間の距離を調整することで変えることができ、作業者に適した位置に設定できる。
【００３９】
図６は第２の実施の形態を示している。
【００４０】
第２の実施の形態では、シャッタカーテン１の開放時に於ける握り部材２２の引下げ動作量を減少させたものである。
【００４１】
開閉ワイヤ２１の一端を取手ケース１６を貫通させて取手１７（図３参照）に連結し、他端側を第２ワイヤガイド１９を掛回して下方に垂下し、更に昇降ワイヤガイド２７を掛回して上方に反転させ、前記開閉ワイヤ２１の他端をガイドレール２、或は建屋側の躯体に係着する。他端の係着位置は、前記ガイドレール２の上端、或は該ガイドレール２の上部相当位置近傍とする。前記昇降ワイヤガイド２７は前記開閉ワイヤ２１に吊下げられた状態となり、滑車装置の動滑車と同様の機能を有する。
【００４２】
前記昇降ワイヤガイド２７は、第１ワイヤガイド１８、前記第２ワイヤガイド１９と同様、耐摩耗性、円滑性を有する材質構造となっており、例えば材質としては、合成樹脂（例えばポリアセタール樹脂、ポリアミド樹脂等）が用いられ、或は内部に回転自在なローラ、滑車が設けられていても良い。
【００４３】
前記昇降ワイヤガイド２７に前記握り部材２２が連結されており、前記シャッタカーテン１を開放する場合は、前記握り部材２２を持って引下げる。
【００４４】
前記開閉ワイヤ２１が前記昇降ワイヤガイド２７に掛回されて前記ガイドレール２、或は建屋側の躯体に係着されているので、前記握り部材２２の引下げ量に対して前記シャッタカーテン１は２倍の上昇量が得られる。
【００４５】
従って、少ない作業量で前記シャッタカーテン１の開放が行え、又前記握り部材２２の操作範囲を、作業し易い範囲に設定することが可能となる。
【００４６】
図７は第３の実施の形態を示している。
【００４７】
第３の実施の形態では、シャッタカーテン開放時に、開閉ワイヤ２１を引下げることでシャッタの施錠装置１３の解除が同時に行われる様にしたものである。
【００４８】
開閉ワイヤ２１の所要位置に、解錠ワイヤ２８の上端を係着し、下端を施錠摘み１４に連結する。尚、ワイヤ止め２６が取手ケース１６に当接した状態では、前記解錠ワイヤ２８に弛みがあり、又取手１７が前記取手ケース１６に当接する状態迄、前記開閉ワイヤ２１がシャッタカーテン１に対して相対的に上昇することで、前記施錠摘み１４が解錠に必要なだけ回転される。
【００４９】
尚、図７の状態から前記取手１７が前記取手ケース１６に当接する迄の前記開閉ワイヤ２１の移動量を、前記施錠摘み１４を回転させる量より大きくし、前記解錠ワイヤ２８の途中にスプリングを介在させ、前記開閉ワイヤ２１の移動量と前記施錠摘み１４の回転量に必要な移動量との差をスプリングに吸収させる様にしても良い。前記開閉ワイヤ２１の移動量を、前記施錠摘み１４を回転させる量より大きくすることで、前記開閉ワイヤ２１の引上げで確実に前記シャッタの施錠装置１３の施錠を解除することができる。
【００５０】
第３の実施の形態は、前記シャッタの施錠装置１３がスプリング等により、シャッタカーテン閉鎖時に自動的に施錠される様になっているシャッタ装置に実施されても良い。
【００５１】
第３の実施の形態で、握り部材２２を引下げると、先ず前記開閉ワイヤ２１のみが前記シャッタカーテン１に対して上昇し、前記施錠摘み１４を回転させる。前記取手１７が前記取手ケース１６に当接する迄、施錠に必要な回転量が前記施錠摘み１４に与えられ、施錠が解除される。更に、前記握り部材２２を引下げると、前記取手１７が前記取手ケース１６に当接し、前記シャッタカーテン１が上昇され、該シャッタカーテン１が開放される。
【００５２】
尚上記実施の形態で、開閉ワイヤ２１の他端に握り部材２２を設けたが、前記開閉ワイヤ２１の他端を丸める、或はループ状にする等しても良い。
【００５３】
更に、第３の実施の形態に於いて、シャッタ装置に施錠摘み付きの施錠装置が複数設けられている場合は、それぞれの施錠摘みに対応する解錠ワイヤを複数、それぞれ設けてもよい。尚、この場合、解錠ワイヤ途中にスプリングを設け開閉ワイヤ２１の移動量及び各施錠摘みの回転量に必要な移動量同士の差を、それぞれスプリングに吸収させる様にすることが好ましい。
【図面の簡単な説明】
【００５４】
【図１】本発明の第１の実施の形態を示す正面図である。
【図２】第１の実施の形態に於ける座板の部分斜視図である。
【図３】（Ａ）（Ｂ）は図２のＡ−Ａ矢視図である。
【図４】第１の実施の形態のシャッタカーテン開放途中の作用説明図である。
【図５】第１の実施の形態のシャッタカーテン開放状態の作用説明図である。
【図６】本発明の第２の実施の形態を示す正面図である。
【図７】本発明の第３の実施の形態を示す要部説明図である。
【図８】従来例のシャッタ装置を示す斜視図である。
【符号の説明】
【００５５】
１              シャッタカーテン
２              ガイドレール
３              巻取り部
５              座板
１０            まぐさ
１３            シャッタの施錠装置
１４            施錠摘み
１６            取手ケース
１７            取手
１８            第１ワイヤガイド
１９            第２ワイヤガイド
２１            開閉ワイヤ
２２            握り部材
２３            舌片
２６            ワイヤ止め
２７            昇降ワイヤガイド
【図１】
0004738972.tif 000002
【図２】
0004738972.tif 000003
【図３】
0004738972.tif 000004
【図４】
0004738972.tif 000005
【図５】
0004738972.tif 000006
【図６】
0004738972.tif 000007
【図７】
0004738972.tif 000008
【図８】
0004738972.tif 000009